(57)【要約】      （修正有）【課題】板状の先端部を有するドライバーからネジが落下しづらくする。【解決手段】ドライバーは、凹部を有するネジを回転させるためのドライバーであって、ドライバーを使用するユーザが把持する把持部と、把持部に結合された軸部と、軸部の先端に形成された板状の刃部（第１刃部２１及び第２刃部２２）と、を有し、刃部２１，２２は、表面に形成された突起２１１，２２１と、ネジの凹部に挿入された状態における幅が、凹部に挿入されていない状態における幅よりも小さくなるように形状が変化する空洞２１３及び空洞２２３とを有する。【選択図】図５
2020066091.tif 000002
【特許請求の範囲】
【請求項１】
凹部を有するネジを回転させるためのドライバーであって、
前記ドライバーを使用するユーザが把持する把持部と、
前記把持部に結合された軸部と、
前記軸部の先端に形成された板状の刃部と、
を有し、
前記刃部は、表面に形成された突起と、前記凹部に挿入された状態における幅が、前記凹部に挿入されていない状態における幅よりも小さくなるように形状が変化する空洞とを有することを特徴とするドライバー。
【請求項２】
前記突起は、前記刃部の先端側の厚みが反対側の厚みよりも小さいテーパー状に形成されていることを特徴とする、
請求項１に記載のドライバー。
【請求項３】
前記刃部が生体適合性樹脂材料により形成されており、前記軸部における前記刃部以外の領域が前記生体適合性樹脂材料以外の樹脂により形成されていることを特徴とする、
請求項１又は２に記載のドライバー。
【発明の詳細な説明】
【技術分野】
【０００１】
本発明は、ネジを回転させるためのドライバーに関する。
【背景技術】
【０００２】
ネジが落下しづらくするために、弾性を有する部位が形成されたドライバーが知られている（例えば、特許文献１を参照）。
【先行技術文献】
【特許文献】
【０００３】
【特許文献１】実開昭５３−０５４４９５号公報
【発明の概要】
【発明が解決しようとする課題】
【０００４】
特許文献１に記載されたドライバーは、六角星型のネジ穴を有するトルクス（登録商標）ネジに対応したトルクスレンチであり、先端が六角柱形状になっている。そして、当該ドライバーは、六角柱の１つの側壁の近傍に溝が形成されていることにより、六角柱の１つの側壁が変形するように構成されている。
【０００５】
ドライバーの先端が六角柱形状である場合には、ドライバーの先端部に溝を形成して六角柱を複数の領域に分断することで、弾性を有する部位を形成することができる。しかしながら、例えばマイナスドライバーのように先端部が板状である場合、先端部に溝を形成してしまうと十分な強度を確保できないので、ネジを落下しづらくすることが困難であった。トルクスネジを使用することができない用途は多く、板状の先端部を有するトルクスドライバー以外のドライバーにおいてもネジが落下しづらくすることが求められていた。
【０００６】
そこで、本発明はこれらの点に鑑みてなされたものであり、板状の先端部を有するドライバーからネジが落下しづらくすることを目的とする。
【課題を解決するための手段】
【０００７】
本発明のドライバーは、凹部を有するネジを回転させるためのドライバーであって、前記ドライバーを使用するユーザが把持する把持部と、前記把持部に結合された軸部と、前記軸部の先端に形成された板状の刃部と、を有し、前記刃部は、表面に形成された突起と、前記凹部に挿入された状態における幅が、前記凹部に挿入されていない状態における幅よりも小さくなるように形状が変化する空洞とを有する。
【０００８】
前記突起は、前記刃部の先端側の厚みが反対側の厚みよりも小さいテーパー状に形成されていてもよい。
【０００９】
前記刃部が生体適合性樹脂材料により形成されており、前記軸部における前記刃部以外の領域が前記生体適合性樹脂材料以外の樹脂により形成されていてもよい。
【発明の効果】
【００１０】
本発明によれば、板状の先端部を有するドライバーからネジが落下しづらくすることができるという効果を奏する。
【図面の簡単な説明】
【００１１】
【図１】ドライバーの外観を示す斜視図である。
【図２】ドライバーを用いて締める対象となるネジの形状の一例を示す図である。
【図３】ドライバーの部材構成を示す正面図である。
【図４】ドライバーのＡ−Ａ線断面図である。
【図５】第２軸部の先端に形成された刃部の周辺の構造を示す斜視図である。
【図６】第２軸部の構造を示す図である。
【図７】第２軸部が有する第１刃部の周辺部の拡大図である。
【発明を実施するための形態】
【００１２】
［ドライバー１の構成］
図１は、ドライバー１の外観を示す斜視図である。図２は、ドライバー１を用いて締める対象となるネジ３の形状の一例を示す図である。ネジ３は、軸部３１と、頭部３２と、凹部３３とを有する。
【００１３】
図３は、ドライバー１の部材構成を示す正面図である。図４は、図３に示したドライバー１のＡ−Ａ線断面図である。ドライバー１は、凹部が形成されたネジ３を回転させるために使用される。ドライバー１は、先端に板状の刃部が形成された、例えばマイナスドライバー又はプラスドライバーである。
【００１４】
ドライバー１は、第１把持部１１と、第２把持部１２と、軸部１３とを有する。第１把持部１１、第２把持部１２及び軸部１３は、例えば硬質樹脂により形成されているが、金属及び木材等の他の部材により形成されていてもよい。図１に示すように、軸部１３は、第１軸部１３１と、第２軸部１３２とを有する。
【００１５】
第１把持部１１及び第２把持部１２は、ドライバーを使用するユーザが把持する部分である。第１把持部１１は、長尺状に形成された中空の部材であり、一端に軸部１３が結合されている。第２把持部１２は、第１把持部１１における軸部１３が結合されている側と反対側に設けられている。
【００１６】
図４に示すように、第１把持部１１は、側壁１１１と、結合部１１２と、軸固定部１１３と、を有する。結合部１１２は、第２把持部１２が第１把持部１１に対して回転可能な状態で第２把持部１２を結合する部位である。結合部１１２は例えば円環状に形成されており、第２把持部１２の結合部１２２に形成された溝に嵌合することにより、第２把持部１２が第１把持部１１から離脱することなく回転することを可能にする。
【００１７】
軸固定部１１３は、軸部１３を固定する部位である。軸固定部１１３は、軸部１３が第１把持部１１に対して回転しない状態で軸部１３を第１把持部１１に固定する。
【００１８】
第２把持部１２は、側壁１２１と、結合部１２２と、を有する。側壁１２１は例えばドーム状に形成されている。結合部１２２は円筒形状を有しており、側壁１２１の先端部分の内壁から延伸している。結合部１２２は結合部１１２と回転可能な状態で嵌合しており、第１把持部１１の内側で回転する。
【００１９】
軸部１３は、第２把持部１２が固定された状態で回転可能に第１把持部１１と結合されている。具体的には、第１軸部１３１は第１把持部１１に固定されており、第１軸部１３１における第１把持部１１に固定されている側と反対側は第２軸部１３２と結合している。第２軸部１３２は、一端が第１軸部１３１に結合しており、第１軸部１３１に結合している一端の反対側の先端には、ネジ３と嵌合する板状の刃部が形成されている。
【００２０】
ユーザは、例えば、第２把持部１２を掌に接触させた状態で第１把持部１１を指で回転させることにより、軸部１３を回転させることができる。ドライバー１がこのように構成されていることにより、ユーザは、腕を回転させることが困難な場所で作業をする場合にも、容易に軸部１３を回転させてネジ３を締めることができる。
【００２１】
［刃部の構造］
図５は、第２軸部１３２の先端に形成された刃部の周辺の構造を示す斜視図である。図６は、第２軸部１３２の構造を示す図である。図７は、第２軸部１３２が有する第１刃部２１の周辺部の拡大図である。
【００２２】
図５に示すように、第２軸部１３２の先端には、それぞれ板状の第１刃部２１、第２刃部２２、第３刃部２３及び第４刃部２４が形成されている。図６（ａ）は、ドライバー１の先端側から視認した第２軸部１３２を示す図である。図６（ｂ）は、第３刃部２３の側から視認した第２軸部１３２を示す図である。図６（ｃ）は、第１刃部２１の側から視認した第２軸部１３２を示す図である。
【００２３】
第１刃部２１及び第２刃部２２は、それぞれの長手方向の側壁が同一の直線上に位置するように形成されている。第３刃部２３及び第４刃部２４は、それぞれの長手方向の側壁が第１刃部２１と第２刃部２２の長手方向の側壁が位置する直線と直交する直線上に位置するように形成されている。図６（ａ）に示す例の場合、第１刃部２１、第２刃部２２、第３刃部２３及び第４刃部２４により、十字形状の凸部が構成されている。
【００２４】
図６（ａ）に示すように、第１刃部２１の表面には、突起２１１及び突起２１２が形成されている。また、突起２１１と突起２１２との間には、空洞２１３が形成されている。空洞２１３を第２軸部１３２の先端側から視認した時の形状は、例えば長円であるが、長方形であってもよい。
【００２５】
第１刃部２１の短手方向における空洞２１３の両側の肉厚は、第２軸部１３２の内側に押し付ける力が突起２１１及び突起２１２に加わることによって第１刃部２１の側壁が変形する程度に薄く形成されている。したがって、第１刃部２１がネジ３の凹部３３に挿入され、突起２１１及び突起２１２が凹部３３の内壁に接触することにより突起２１１及び突起２１２が押し付けられると、空洞２１３の形状は、ネジ３の凹部３３に挿入された状態における幅が、凹部３３に挿入されていない状態における幅よりも小さくなるように変化する。その結果、第１刃部２１の側壁が空洞２１３の内側に撓むことで、第１刃部２１の側壁が外側に戻ろうとする力が生じるため、突起２１１及び突起２１２がネジ３の凹部３３に押し付けられ、ネジ３がドライバー１から離脱しにくくなる。
【００２６】
突起２１１及び突起２１２は、例えば空洞２１３の長手方向における中央位置に形成されている。突起２１１及び突起２１２がこのように形成されていることで、第１刃部２１の側壁が撓みやすくなる。
【００２７】
同様に、第２刃部２２には、突起２２１及び突起２２２が形成されている。また、突起２２１と突起２２２との間には、空洞２２３が形成されている。空洞２２３を第２軸部１３２の先端側から視認した時の形状は、空洞２１３と同様に例えば長円であるが、長方形であってもよい。突起２２１及び突起２２２は、例えば空洞２２３の長手方向における中央位置に形成されている。
【００２８】
第２刃部２２の短手方向における空洞２２３の両側の肉厚は、第２軸部１３２の内側に押し付ける力が突起２２１及び突起２２２に加わることによって第２刃部２２の側壁が変形する程度に薄く形成されている。したがって、第２刃部２２がネジ３の凹部３３に挿入され、突起２２１及び突起２２２が凹部３３の内壁に接触することにより突起２２１及び突起２２２が押し付けられると、空洞２２３の形状は、ネジ３の凹部３３に挿入された状態における幅が、凹部３３に挿入されていない状態における幅よりも小さくなるように変化する。その結果、第２刃部２２の側壁が空洞２２３の内側に撓むことで、第２刃部２２の側壁が外側に戻ろうとする力が生じるため、突起２２１及び突起２２２がネジ３の凹部３３に押し付けられる。第２刃部２２が、このように第１刃部２１と同様の構成を有することにより、ネジ３がドライバー１からさらに離脱しにくくなる。
【００２９】
ここで、突起２１１、突起２１２、突起２２１及び突起２２２の少なくとも一部の領域は、図７に示す突起２１１及び突起２１２のように、第１刃部２１及び第２刃部２２の先端側の厚みが反対側の厚みよりも小さいテーパー状に形成されていてもよい。すなわち、突起２１１、突起２１２、突起２２１及び突起２２２は、ネジ３に挿入される側の厚みが最も小さく、ネジ３に挿入される側の反対側の厚みが最も大きい。
【００３０】
このように、突起２１１、突起２１２、突起２２１及び突起２２２がテーパー状に形成されていることで、ユーザが軸部１３をスムーズにネジ３の凹部３３に挿入することができる。また、ネジ３の凹部３３の幅にばらつきがある場合にも、凹部３３の幅に応じた位置で突起２１１、突起２１２、突起２２１及び突起２２２が凹部３３の内壁に接するので、凹部３３の幅のばらつきの影響を軽減することができる。
【００３１】
［軸部１３の材質］
第１軸部１３１及び第２軸部１３２は、それぞれ異なる部材により形成されていてもよい。例えば、第１刃部２１、第２刃部２２、第３刃部２３及び第４刃部２４が生体適合性樹脂材料により形成されており、軸部１３における第１刃部２１、第２刃部２２、第３刃部２３及び第４刃部２４以外の領域が生体適合性樹脂材料以外の樹脂により形成されていてもよい。生体適合性樹脂材料は、例えばポリ乳酸である。なお、第２軸部１３２の全体が生体適合性樹脂材料により形成されており、第１軸部１３１が生体適合性樹脂材料以外の樹脂により形成されていてもよい。
【００３２】
第２軸部１３２の全体、又は第１刃部２１、第２刃部２２、第３刃部２３及び第４刃部２４が生体適合性樹脂材料で形成されていることにより、ネジ３が骨折の治療等のように人体に埋め込まれて用いられる場合に、第１刃部２１、第２刃部２２、第３刃部２３及び第４刃部２４の一部の領域が削れて体内に残留してしまっても、体内に悪影響が生じることを予防できる。
【００３３】
［変形例］
以上の説明においては、第２軸部１３２が第１刃部２１、第２刃部２２、第３刃部２３及び第４刃部２４を有する場合を例示したが、第２軸部１３２が第１刃部２１、第２刃部２２、第３刃部２３及び第４刃部２４のうちの少なくとも１つを有していてもよい。例えば、ドライバー１がマイナスドライバーであり、第２軸部１３２が第１刃部２１及び第２刃部２２を有しており、第３刃部２３及び第４刃部２４を有していなくてもよい。
【００３４】
また、以上の説明においては、第１刃部２１及び第２刃部２２が複数の側壁に突起を有する場合を例示したが、第１刃部２１及び第２刃部２２は、２つの側壁の一方のみに突起を有してもよい。また、第１刃部２１、第２刃部２２、第３刃部２３及び第４刃部２４の全てに突起が形成されていてもよい。
【００３５】
［ドライバー１による効果］
以上説明したように、ドライバー１は、ドライバー１を使用するユーザが把持するための第１把持部１１と、第１把持部１１に結合された軸部１３と、軸部１３の先端に形成された板状の第１刃部２１及び第２刃部２２と、を有する。第１刃部２１及び第２刃部２２は、表面に形成された突起２１１、突起２１２、突起２２１及び突起２２２と、空洞２１３及び空洞２２３とを有する。空洞２１３及び空洞２２３のそれぞれは、ネジ３の凹部３３に挿入された状態における幅が、凹部３３に挿入されていない状態における幅よりも小さくなるように形状が変化する。その結果、第１刃部２１及び第２刃部２２の側壁が、それぞれ空洞２１３及び空洞２２３の内側に撓むことで、第１刃部２１及び第２刃部２２の側壁が外側に戻ろうとする力が生じる。したがって、突起２１１、突起２１２、突起２２１及び突起２２２がネジ３の凹部３３に押し付けられることで、ネジ３がドライバー１から離脱しにくくなる。
【００３６】
また、突起２１１、突起２１２、突起２２１及び突起２２２は、第１刃部２１及び第２刃部２２の先端側の厚みが反対側の厚みよりも小さいテーパー状に形成されている。ドライバー１がこのように構成されていることにより、ユーザが軸部１３をスムーズにネジ３の凹部３３に挿入することができる。また、ネジ３の凹部３３の幅にばらつきがある場合にも、凹部３３の幅に応じた位置で突起２１１、突起２１２、突起２２１及び突起２２２が凹部３３の内壁に接するので、凹部３３の幅のばらつきの影響を軽減することができる。
【００３７】
また、第１刃部２１、第２刃部２２、第３刃部２３及び第４刃部２４が生体適合性樹脂材料により形成されている。ドライバー１がこのように構成されていることにより、ネジ３が骨折の治療等のように人体に埋め込まれて用いられる場合に、第１刃部２１、第２刃部２２、第３刃部２３及び第４刃部２４の一部の領域が削れて体内に残留してしまっても、体内に悪影響が生じることを予防できる。
【００３８】
また、第１把持部１１、第２把持部１２及び軸部１３は、例えば硬質樹脂により形成されている。第１把持部１１、第２把持部１２及び軸部１３を樹脂により形成する場合、低コストでドライバー１を製造することができる。したがって、人体にネジ３を埋め込む際に使用される場合のように、ドライバー１に血液が付着する用途で使用されたとしても、容易に新しいドライバー１に入れ替えることができるので、ドライバー１は医療用途に好適である。
【００３９】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００４０】
１  ドライバー
３  ネジ
１１  第１把持部
１２  第２把持部
１３  軸部
２１  第１刃部
２２  第２刃部
２３  第３刃部
２４  第４刃部
３１  軸部
３２  頭部
３３  凹部
１１１  側壁
１１２  結合部
１１３  軸固定部
１２１  側壁
１２２  結合部
１３１  第１軸部
１３２  第２軸部
２１１  突起
２１２  突起
２１３  空洞
２２１  突起
２２２  突起
２２３  空洞
【図１】
2020066091.tif 000003
【図２】
2020066091.tif 000004
【図３】
2020066091.tif 000005
【図４】
2020066091.tif 000006
【図５】
2020066091.tif 000007
【図６】
2020066091.tif 000008
【図７】
2020066091.tif 000009